(57)【要約】【課題】二次転写ローラの径が変化しても記録媒体への二次転写時に色ずれが生じるのを防止し、現像液に含まれるオイル成分が記録媒体に付着するのを防止して、画像不良を防止できる湿式画像形成装置を提供する。【解決手段】一次転写ベルト４３を回転駆動する駆動ローラ４１の回転軸６１に駆動歯車６７を嵌合し、二次転写ローラ９を回転する第２回転軸６５に対し前記駆動歯車６７に噛み合わされる従動歯車６８を嵌合し、前記第２回転軸６５と従動歯車６８の間に電磁クラッチ６９を介在する。紙への二次転写工程では、制御装置７１からの制御信号によって、前記電磁クラッチ６９を動力の断状態に切り換え、駆動ローラ４１の回転により、二次転写ローラ９を従動回転させる。非二次転写工程では、前記制御装置７１からの切り換え信号により、電磁クラッチ６９が接状態に切り換えられる。これによって、駆動ローラ４１及び二次転写ローラ９が積極的に回転される。【選択図】      図２
2006106113.tif 000002
【特許請求の範囲】
【請求項１】
画像情報に基づいて静電潜像を形成可能な像担持体と、該像担持体の外周面に対して液体現像液を付着して現像する液体現像装置と、前記像担持体の画像が転写される一次転写ベルト又は一次転写ドラムを第一駆動手段により回動するようにした一次転写装置と、前記一次転写ベルト又は一次転写ドラムの表面に転写された画像を記録媒体に転写する二次転写ローラ又は二次転写ベルトとを備えた湿式画像形成装置において、
前記二次転写ローラ又は二次転写ベルトを回動する第二駆動手段を設け、前記第二駆動手段の駆動経路に駆動力断接手段を設け、前記記録媒体への画像の二次転写工程では、前記駆動力断接手段を断状態にし、非二次転写工程では接状態に切り換える制御手段を設けたことを特徴とする湿式画像形成装置。
【請求項２】
請求項１において、前記第一駆動手段の駆動経路と、前記二次転写ローラ又は二次転写ベルトの回転軸との間には、第一駆動手段の駆動力を前記二次転写ローラ又は二次転写ベルトに伝達するための動力伝達機構が設けられ、該動力伝達機構に前記駆動力断接手段が設けられていることを特徴とする湿式画像形成装置。
【請求項３】
請求項２において、前記一次転写ベルトの駆動ローラ又は一次転写ドラムの第１回転軸には、動力伝達機構を構成する駆動歯車が嵌合固定され、二次転写ローラ又は二次転写ベルトの駆動ローラの第２回転軸には、前記駆動歯車に噛み合うとともに、前記動力伝達機構を構成する従動歯車が該第２回転軸と相対回転可能に嵌合され、該従動歯車と前記第２回転軸との間には、前記駆動力断接手段としての電磁クラッチが設けられていることを特徴とする湿式画像形成装置。
【請求項４】
請求項３において、前記駆動ローラの回転周速度よりも二次転写ローラの回転周速度が若干遅くなるように、前記駆動歯車と従動歯車の歯車比を設定したことを特徴とする湿式画像形成装置。
【請求項５】
請求項１〜４のいずれか一項において、前記制御手段は通紙センサからの検出信号に基づいて、前記駆動力断接手段を切り換え制御する機能を備えていることを特徴とする湿式画像形成装置。
【請求項６】
請求項１において、前記第一駆動手段と第二駆動手段は、それぞれ個別に設けられ、前記第二駆動手段の駆動経路には一方向駆動断接手段が設けられ、前記第二駆動手段の駆動モータは、前記制御手段からの制御信号によって記録媒体への画像の二次転写工程では、駆動モータを停止状態にし、非二次転写工程では通電状態に切り換えるように構成されていることを特徴とする湿式画像形成装置。
【発明の詳細な説明】
【技術分野】
【０００１】
本発明は、複写機、ファクシミリ装置、プリンタ等に採用される湿式画像形成装置に関する。
【背景技術】
【０００２】
一般に、湿式画像形成装置は、感光体ドラムの表面に対して画像情報に応じた光を照射することにより静電潜像を形成し、この静電潜像に対してトナー粒子とキャリアからなる液体現像液を現像ローラによって付着することにより、感光体ドラムにトナー像を形成する液体現像装置を備えている。
【０００３】
フルカラー画像形成装置には、上述した現像装置が４箇所に備えられ、各感光体ドラムと対応して、駆動ローラと従動ローラに掛装された無端状の一次転写ベルトが備えられている。前記一次転写ベルトの内側には、前記各感光体ドラムと対応するように、一次転写ローラがそれぞれ配設され、一次転写ベルトの表面に各感光体ドラムに形成されたブラック（ＢＫ）、マゼンタ（Ｍ）、シアン（Ｃ）、イエロー（Ｙ）用のトナー画像を順次転写するようになっている。さらに、前記駆動ローラと対応して、一次転写ベルト及び紙等の記録媒体を挟持搬送する二次転写ローラが設けられ、前記記録媒体に対し一次転写ベルト上のトナー画像を転写するようになっている。
【０００４】
フルカラー画像形成装置においては、前記二次転写ローラによるトナー画像の記録媒体への転写を適正に行うために、前記駆動ローラによって周回される前記一次転写ベルトの外周面の周速度と、二次転写ローラの外周面の回転周速度が同一であることが望ましい。仮に、二次転写ローラの周速度と一次転写ベルトの周速度がずれると、記録媒体へのトナー画像の二次転写中に色ずれが生じるという問題がある。
【０００５】
上記の問題を解消するため、従来、特許文献１に開示されたものが提案されている。特許文献１の図４には、一次（中間）転写ベルト（３０）の二次転写補助ローラ（３２）と対応して設けられた転写ローラ（４０）の回転軸にワンウェイクラッチ（２６）を介して駆動ギア（１９）を嵌装したものが開示されている。そして、環境変化により転写ローラ（４０）の径が減少して、一次転写ベルト（３０）の周速度が転写ローラ（４０）の周速度を超えようとした場合、ワンウェイクラッチ（２６）の作用により転写ローラ（４０）の駆動経路が断たれ、転写ローラ（４０）の周速度が一次転写ベルト（３０）の周速度より遅くなるのを防止するようになっている。
【特許文献１】特開２００１−２２１９５号公報
【発明の開示】
【発明が解決しようとする課題】
【０００６】
ところが、特許文献１に開示された装置は、転写ローラ（４０）の径が小さくなった場合には、ワンウェイクラッチ（２６）が作動して色ずれを防止するという効果を発揮するが、転写ローラ（４０）の径が大きくなった場合には、ワンウェイクラッチ（２６）が機能しないので、一次転写ベルト（３０）の周速度よりも転写ローラ（４０）の周速度が速くなり、色ずれが生じるという問題があった。
【０００７】
又、湿式画像形成装置においては、転写性を向上させるために、二次転写ローラと二次転写補助ローラとの当接圧力を強くしているので、二次転写ローラの周速度が一次転写ベルトの周速度に影響を与え易くなり、色ずれが発生し易くなる。
【０００８】
さらに、湿式画像形成装置においては、一次転写ベルトに対し、現像液のキャリアに含まれるオイル成分が付着するため、乾式トナー画像形成装置に用いられる一次転写ベルトで二次転写ローラに駆動力を与える従動方式では、一次転写ベルトと二次転写ローラがスリップして二次転写ローラに駆動力が伝達されない。このため、一次転写ベルトと二次転写ローラのニップ部付近に前記オイル成分が溜まり、このオイル成分が二次転写工程において記録媒体に付着して、画像不良が生じるという問題があった。
【０００９】
本発明は、上記従来の技術に存する問題点を解消して、二次転写ローラ又は二次転写ベルトの駆動ローラの径が変化しても記録媒体への二次転写時に色ずれが生じるのを防止することができるとともに、現像液のキャリアに含まれるオイル成分が記録媒体に付着するのを防止して、画像不良を防止できる湿式画像形成装置を提供することにある。
【課題を解決するための手段】
【００１０】
上記問題点を解決するために、請求項１に記載の発明は、画像情報に基づいて静電潜像を形成可能な像担持体と、該像担持体の外周面に対して液体現像液を付着して現像する液体現像装置と、前記像担持体の画像が転写される一次転写ベルト又は一次転写ドラムを第一駆動手段により回動するようにした一次転写装置と、前記一次転写ベルト又は一次転写ドラムの表面に転写された画像を記録媒体に転写する二次転写ローラ又は二次転写ベルトとを備えた湿式画像形成装置において、前記二次転写ローラ又は二次転写ベルトを回動する第二駆動手段を設け、前記第二駆動手段の駆動経路に駆動力断接手段を設け、前記記録媒体への画像の二次転写工程では、前記駆動力断接手段を断状態にし、非二次転写工程では接状態に切り換える制御手段を設けたことを要旨とする。
【００１１】
請求項２に記載の発明は、請求項１において、前記第一駆動手段の駆動経路と、前記二次転写ローラ又は二次転写ベルトの回転軸との間には、第一駆動手段の駆動力を前記二次転写ローラ又は二次転写ベルトに伝達するための動力伝達機構が設けられ、該動力伝達機構に前記駆動力断接手段が設けられていることを要旨とする。
【００１２】
請求項３に記載の発明は、請求項２において、前記一次転写ベルトの駆動ローラ又は一次転写ドラムの第１回転軸には、動力伝達機構を構成する駆動歯車が嵌合固定され、二次転写ローラ又は二次転写ベルトの駆動ローラの第２回転軸には、前記駆動歯車に噛み合うとともに、前記動力伝達機構を構成する従動歯車が該第２回転軸と相対回転可能に嵌合され、該従動歯車と前記第２回転軸との間には、前記駆動力断接手段としての電磁クラッチが設けられていることを要旨とする。
【００１３】
請求項４に記載の発明は、請求項３において、前記駆動ローラの回転周速度よりも二次転写ローラの回転周速度が若干遅くなるように、前記駆動歯車と従動歯車の歯車比を設定したことを要旨とする。
【００１４】
請求項５に記載の発明は、請求項１〜４のいずれか一項において、前記制御手段は通紙センサからの検出信号に基づいて、前記駆動力断接手段を切り換え制御する機能を備えていることを要旨とする。
【００１５】
請求項６に記載の発明は、請求項１において、前記第一駆動手段と第二駆動手段は、それぞれ個別に設けられ、前記第二駆動手段の駆動経路には一方向駆動断接手段が設けられ、前記第二駆動手段の駆動モータは、前記制御手段からの制御信号によって記録媒体への画像の二次転写工程では、駆動モータを停止状態にし、非二次転写工程では通電状態に切り換えるように構成されていることを要旨とする。
【発明の効果】
【００１６】
請求項１記載の発明は、前記第二駆動手段の駆動経路に駆動力断接手段を設け、記録媒体への画像の二次転写工程では、前記駆動力断接手段を断状態にし、非二次転写工程では接状態に切り換える制御手段を設けた。このため、二次転写工程において、二次転写ローラ又は二次転写ベルトの駆動ローラが一次転写ベルト又は一次転写ドラムの周回動作に追従して、回転駆動されるため、外部環境温度の変化により二次転写ローラの径が変化しても、二次転写ローラ又は二次転写ベルトの周速度が適正な速度に保持され、記録媒体への二次転写時に色ずれが生じるのを防止することができる。
【００１７】
又、記録媒体への非二次転写工程においては、制御手段により前記駆動力断接手段が接状態に切り換えられるので、二次転写ローラ又は二次転写ベルトが積極回転され、一次転写ベルト又は一次転写ドラムと、二次転写ローラ又は二次転写ベルトとのニップ部のスリップが防止され、現像液に含まれるオイル成分が前記ニップ部に溜まって記録媒体に付着するのを防止でき、画像不良を防止できる。
【００１８】
請求項２記載の発明は、前記第一駆動手段の駆動源に第二駆動手段の駆動源としての機能を兼用させたので、部品点数を低減してコストダウンを図ることができる。
請求項３記載の発明は、動力伝達機構及び駆動力断接手段に歯車及び電磁クラッチを用いたので、構成を簡素化することができる。
【００１９】
請求項４記載の発明は、前記駆動ローラの回転周速度よりも二次転写ローラの回転周速度が若干遅くなるように、前記駆動歯車と従動歯車の歯車比を設定したので、外部環境温度の変化により二次転写ローラの径が増大しても、非二次転写工程中に、二次転写ローラの周速度が駆動ローラの周速度と同じ周速度に保持され、スリップを防止することができる。
【００２０】
請求項５記載の発明は、既存の通紙センサを用いることができるので、装置のコストを低減することができる。
請求項６に記載の発明は、前記第二駆動手段の駆動モータが前記制御手段からの制御信号によって記録媒体への画像の二次転写工程では停止状態に、非二次転写工程では通電状態に切り換えられる。このため、請求項１で記載した効果と同様の効果を奏する。
【発明を実施するための最良の形態】
【００２１】
以下、本発明をタンデム型カラー画像形成装置（以下、単に画像形成装置という）に具体化した一実施形態を図１〜図４を参照して説明する。
図４に示すように、画像形成装置は、給紙手段１、垂直搬送路２、レジストローラ対３、一次転写装置としての一次転写ベルト装置４、第１の画像形成手段５、第２の画像形成手段６、第３の画像形成手段７、第４の画像形成手段８、二次転写ローラ９、定着手段１０、排出搬送路１１及び排出トレイ１４等から構成されている。給紙手段１は、給紙カセット１ａと、ピックアップローラ１ｂとを備え、給紙カセット１ａ内の記録媒体としての紙Ｐをピックアップローラ１ｂにて、垂直搬送路２へ搬送する。垂直搬送路２は、搬送されてきた紙Ｐをレジストローラ対３を介して二次転写ローラ９側へ搬送する。
【００２２】
前記一次転写ベルト装置４は、該ベルト装置４を構成する図示しないフレームの所定位置に架橋された駆動ローラ４１と、従動ローラ４２と、この２つのローラに亘って掛け渡された無端状の一次転写ベルト４３とを備えている。一次転写ベルト４３は、テンションローラ４４にて適度なテンションを保っている。そして、この状態で、図１，２に示すように駆動ローラ４１は第１駆動モータＭ１からその駆動力を伝達され、各画像形成手段５〜８における感光体ドラム５１の外周速度と前記一次転写ベルト４３の外周速度が等速になるように駆動されるようになっている。図１に示すように一次転写ベルト装置４はユニット化されている。
【００２３】
図４に示す第１〜第４の画像形成手段５〜８は、図中左側からブラック（ＢＫ）、マゼンタ（Ｍ）、シアン（Ｃ）、イエロー（Ｙ）用のものであり、全てほぼ同じ構成のユニットである。ここでは、説明の便宜上、画像形成に関して代表して第１の画像形成手段５の構成を説明する。なお、他の画像形成手段において、第１の画像形成手段５の構成と同一構成については同一符号を付す。第１の画像形成手段５は、感光体ドラム５１、主帯電装置５２、ＬＰＨ（ＬＥＤ  ＰＲＩＮＴ  ＨＥＡＤ）５３、液体現像装置５４、一次転写手段５５、クリーニング装置５６及び除電ランプ５７から構成され、樹脂でできた筐体に組み付けることにより１つのユニットとなり、図示しない装置本体に取り付けられている。
【００２４】
感光体ドラム５１はアモルファス・シリコンドラムを用いており、現像位置での暗電位はおよそ３００Ｖになるよう前記主帯電装置５２により帯電される。この帯電した感光体ドラム５１の表面にＬＰＨ５３が画像情報に応じた光を照射することにより感光体ドラム５１の表面に静電潜像が形成される。感光体ドラム５１は潜像担持体に相当する。なお、ＬＰＨ５３はユニットの小型化のために採用しているがＬＳＵ（レーザスキャニングユニット）を用いても良い。
【００２５】
液体現像装置５４は、トナー粒子とキャリアからなる現像液を所定の濃度になるように撹拌混合して用い、現像ローラでこの現像液を感光体ドラム５１の光が照射された部分の静電潜像に適用することにより感光体ドラム５１にトナー像を形成するものである。感光体ドラム５１の暗電位が３００Ｖで、現像バイアスは２００Ｖ、露光後電位が２０Ｖとなるように設定されている。即ち、暗電位は画像白部に相当し、露光後電位は画像黒部に相当し、この差がいわゆるコントラスト電位である。上記のように形成された静電潜像が現像された感光体ドラム５１上のトナー像は、前記一次転写手段５５とのニップにおいて前記一次転写ベルト装置４の一次転写ベルト４３に転写される。前記一次転写手段５５は本実施形態では転写ローラを用いており、前記感光体ドラム５１の表面電位とは逆極性の電圧が−１０００〜−１３００Ｖの範囲に設定され、印加されるようになっている。
【００２６】
感光体ドラム５１上の転写されなかったトナーは次のプロセスのクリーニング装置５６により除去されて、表面の残留電位を下げて均一にすべく除電ランプ５７により除電され、その後は次の一連のプロセスに備える。このように画像形成する場合の電位設定は、感光体ドラム５１の特性、トナー粒子の性能、環境に応じて最適な値は変わるものである。画像形成装置は、上記第１の画像形成手段５と同様の方法で、第２〜第４の画像形成手段６〜８でマゼンタ、シアン、イエローに対応する画像を感光体ドラム５１上に現像し、一次転写ベルト４３上に順次繰り返し、ずれなく転写することでフルカラー画像の形成を行う。
【００２７】
次に、一次転写ベルト４３上への転写後の画像形成について説明する。前記二次転写ローラ９は、垂直搬送路２上の二次転写位置に配置されている。二次転写位置は二次転写ローラ９が駆動ローラ４１と対向するとともに、一次転写ベルト４３に対して圧接する位置である。この二次転写ローラ９には、二次転写バイアスが印加されており、二次転写ローラ９により、一次転写ベルト４３から、垂直搬送路２及びレジストローラ対３を介して搬送されてきた紙Ｐにフルカラー画像が二次転写される。この後、フルカラー画像が二次転写された紙Ｐは、一次転写ベルト４３から分離され、定着手段１０に搬送される。定着手段１０は、第１定着ローラ１０ａ、第２定着ローラ１０ｂを備えている。各定着ローラには、図示しない定着ヒータが内蔵され、該定着ヒータは定着に必要な所定の温度に制御されている。この温度により、両ローラにて圧接されて通過する紙Ｐ上にフルカラー画像の定着処理がされる。そして、紙Ｐは、定着手段１０で定着処理がなされた後に排出搬送路１１を介して排出トレイ１４に排出される。
【００２８】
前記中間転写クリーニングユニット１２は、中間転写クリーニングローラ１２ａと中間転写クリーニングブレード１２ｂを備えている。中間転写クリーニングローラ１２ａは、一次転写ベルト４３に対して圧接されていて、一次転写ベルト４３の回転方向と同方向に回転される。中間転写クリーニングブレード１２ｂは、一次転写ベルト４３の移動方向における中間転写クリーニングローラ１２ａの位置から下流側にて、一次転写ベルト４３に対しカウンタ当接することにより、一次転写ベルト４３上の転写残トナーを回収除去し、一次転写ベルト４３を次の画像形成工程に備えさせる。
【００２９】
次に、この発明の特徴的構成について説明する。
図２に示すように前記駆動ローラ４１に連結された第１回転軸６１は、図示しない装置フレームの所定位置に設けた軸受６２によって支持されている。同じく装置フレームに取り付けられた取付基板６３には、第１駆動モータＭ１が装着され、該第１駆動モータＭ１の出力軸６４は前記第１回転軸６１と連結されている。
【００３０】
前記二次転写ローラ９に連結された第２回転軸６５は、図示しない装置フレームの所定位置に設けた軸受６６によって支持されている。前記第１回転軸６１には駆動歯車６７が嵌合固定され、前記第２回転軸６５には従動歯車６８が該第２回転軸６５に対し相対回転可能に嵌装されている。
【００３１】
前記第２回転軸６５には駆動力断接手段としての電磁クラッチ６９が装着され、常には従動歯車６８の回転運動を第２回転軸６５に伝達する接状態に保持されている。そして、紙Ｐへのトナー画像の二次転写工程において、後述する制御装置７１からの切り換え信号により回転運動を伝達しない断状態に切り換えられるように構成されている。
【００３２】
この実施形態では、前記第１駆動モータＭ１及び第１回転軸６１により駆動ローラ４１の第一駆動手段を構成している。又、前記第１駆動モータＭ１、第１回転軸６１、駆動歯車６７、従動歯車６８、電磁クラッチ６９及び第２回転軸６５等により二次転写ローラ９の第二駆動手段を構成している。さらに、前記駆動歯車６７と従動歯車６８により動力伝達機構を構成している。
【００３３】
なお、前記二次転写ローラ９には、その周面に付着した残トナーを除去するクリーニングブレード７０が接触されている。回収された残トナーは図示しない廃棄タンクに導かれるようになっている。
【００３４】
前記第１駆動モータＭ１及び電磁クラッチ６９は、次に説明する制御手段としての制御装置７１からの動作信号によって、動作が制御されるようになっている。
前記制御装置７１は、各種のデータに基づいて、各種の演算処理を行うための中央演算処理装置（ＣＰＵ）７２、液体現像装置の動作を制御するプログラム等を記憶したリードオンリーメモリ（ＲＯＭ）７３及び各種のデータを記憶するためのランダムアクセスメモリ（ＲＡＭ）７４を備えている。
【００３５】
前記制御装置７１の中央演算処理装置７２には、インターフェース７５を介して各種のデータを入力するための操作部７６が接続されている。前記インターフェース７５には前記レジストローラ対３と対応して設けられた給紙センサ７７が接続されている。前記中央演算処理装置７２にはインターフェース７９を介して駆動回路８０が接続され、前記第１駆動モータＭ１及び電磁クラッチ６９の動作が制御されるようになっている。前記中央演算処理装置７２には、タイマ８１が設けられている。
【００３６】
次に、上述した特徴的構成の作用について説明する。
今、図２及び図４において、制御装置７１から紙Ｐへの画像の形成動作が指令されると、一次転写ベルト装置４及び前記第１〜第４の画像形成手段５〜８が作動されて、前述したように一次転写ベルト４３に４色のトナー画像が順次形成される。このとき、前記第１駆動モータＭ１が作動されて、第１回転軸６１及び駆動ローラ４１が時計回り方向に回転されるとともに、駆動歯車６７によって従動歯車６８が回転され、接状態の電磁クラッチ６９を介して第２回転軸６５及び二次転写ローラ９が反時計回り方向に回転される。
【００３７】
その後、レジストローラ対３に対応して設けられた前記給紙センサ７７が紙Ｐの通過を検知すると、制御装置７１から駆動回路８０を介して電磁クラッチ６９を断状態に切り換える信号が出力されて、電磁クラッチ６９が断状態となる。このため、二次転写ローラ９による紙Ｐへのトナー画像の二次転写工程中は、二次転写ローラ９が従動回転される。前記給紙センサ７７の検知動作と同時に前記タイマ８１がカウントを開始し、予め設定された所定時間の経過後に、前記制御装置７１から駆動回路８０を介して電磁クラッチ６９を接状態に切り換える信号が出力されて、電磁クラッチ６９が接状態となり、二次転写ローラ９は第１駆動モータＭ１によって積極的に回転される。
【００３８】
従って、前記実施形態においては、外部環境温度の変化により二次転写ローラ９の径が増大又は減少方向に変化しても、二次転写工程中に、二次転写ローラ９の周速度が適正な速度に保持され、紙Ｐへの二次転写時に色ずれが生じるのを防止することができる。
【００３９】
又、紙Ｐへの非転写工程においては、制御装置７１により前記電磁クラッチ６９が接状態に切り換えられるので、二次転写ローラ９が積極回転され、一次転写ベルト４３と二次転写ローラ９とのニップ部のスリップが防止され、現像液に含まれるオイル成分が前記ニップ部に溜まって紙Ｐに付着するのを防止でき、画像不良を防止できる。仮に、図３において非転写工程中において二次転写ローラ９が従動回転されていると、一次転写ベルト４３に付着した現像液のオイル成分によって二次転写ローラ９がスリップして、オイル成分が溜まるが、本発明ではこれを防止することができる。
【００４０】
次に、図５に基づいて、この発明の別の実施形態を説明する。
この実施形態においては、前記実施形態の第１回転軸６１に嵌合固定した駆動歯車６７を省略するとともに、前記第２回転軸６５に対し、一方向駆動断接手段としてのワンウェイクラッチ８２を介して前記従動歯車６８を支持している。又、図示しない装置フレームに取り付けた取付基板８３には、第２駆動モータＭ２が取り付けられ、第２駆動モータＭ２の回転軸８４の先端部に形成された駆動歯車８５が前記従動歯車６８に噛み合わされている。このワンウェイクラッチ８２は、第２駆動モータＭ２による前記従動歯車６８の回転中に二次転写ローラ９の回転周速度が漸増された場合にそれを許容し、漸減を阻止するように構成されている。
【００４１】
この実施形態では、前記第２駆動モータＭ２、回転軸８４、駆動歯車８５、従動歯車６８、ワンウェイクラッチ８２及び第２回転軸６５等により二次転写ローラ９の第二駆動手段を構成している。
【００４２】
さらに、前記第２駆動モータＭ２による二次転写ローラ９の回転周速度は、前記第１駆動モータＭ１による前記駆動ローラ４１の回転周速度よりも若干遅くなるように設定されている。このように設定した理由は、前記二次転写ローラ９が熱膨張して径が最大値になっても、前記駆動ローラ４１と二次転写ローラ９が同じ回転周速度になるようにするためである。その他の構成は前記実施形態と同様である。
【００４３】
次に、上記の実施形態の作用について説明する。
前記給紙センサ７７によって、紙Ｐが検出されない非二次転写工程においては、制御装置７１からの信号により第１駆動モータＭ１及び第２駆動モータＭ２が共に作動され、二次転写ローラ９は駆動ローラ４１よりも若干遅い速度でそれぞれ積極的に回転されている。そして、前記二次転写ローラ９の径が熱膨張により最大値となって、駆動ローラ４１と二次転写ローラ９が同速度で回転する場合には、前記ワンウェイクラッチ８２が断状態になって、第２駆動モータＭ２からの駆動力が二次転写ローラ９に伝達されることはなく、二次転写ローラ９は駆動ローラ４１によって従動回転される。
【００４４】
又、前記二次転写ローラ９が駆動ローラ４１上でスリップして回転周速度が遅くなろうとしたときには、前記ワンウェイクラッチ８２が接状態に切り換えられて、第２駆動モータＭ２の駆動により駆動歯車８５、従動歯車６８及び第２回転軸６５を介して、二次転写ローラ９が積極的に回転される。このため、二次転写ローラ９の回転周速度は、駆動ローラ４１の回転周速度よりも若干遅い状態に安定して保たれる。
【００４５】
さらに、給紙センサ７７によって、紙Ｐが検出された場合には、制御装置７１から第２駆動モータＭ２に停止信号が出力されて、前記二次転写ローラ９が駆動ローラ４１の回転周速度に追従するようにして、二次転写ローラ９が従動回転される。従って、外部環境温度の変化により二次転写ローラ９の径が増大しても、二次転写工程中に、二次転写ローラ９の周速度が適正な速度に保持され、紙Ｐへの二次転写工程時に色ずれが生じるのを防止することができる。
【００４６】
なお、本実施形態は以下のように変更してもよい。
○図２に示す別の実施形態において、前記駆動ローラ４１の回転周速度よりも二次転写ローラ９の回転周速度が若干遅くなるように、前記駆動歯車６７と従動歯車６８の歯車比を設定してもよい。この場合には、外部環境温度の変化により二次転写ローラ９の径が増大しても、非二次転写工程中に、二次転写ローラ９の周速度が駆動ローラ４１の周速度と同じ周速度に保持され、スリップを防止することができる。
【００４７】
○図５に示す別の実施形態において、前記ワンウェイクラッチ８２に代えて電磁クラッチを用い、制御装置７１からの制御信号により電磁クラッチの断接を行うようにしてもよい。
【００４８】
○一次転写装置を構成する前記一次転写ベルト４３に代えて、図示しないが一次転写ドラムを用いた湿式画像形成装置に具体化してもよい。
○前記二次転写ローラ９に代えて、図示しないが駆動ローラ及び従動ローラに掛装した二次転写ベルトを用いた湿式画像形成装置に適用してもよい。
【００４９】
○前記駆動歯車６７及び従動歯車６８に代えて、図示しないが例えばタイミングプーリとタイミングベルトを用いてもよい。
【図面の簡単な説明】
【００５０】
【図１】この発明の湿式画像形成装置の一次転写ベルト装置及び二次転写ローラを示す斜視図。
【図２】この発明の要部構成を示す説明図。
【図３】二次転写ローラ付近の斜視図。
【図４】湿式画像形成装置全体を示す略体正面図。
【図５】この発明の別の実施形態を示す部分拡大斜視図。
【符号の説明】
【００５１】
９…二次転写ローラ、４１…駆動ローラ、４３…一次転写ベルト、５４…液体現像装置、６１…第１回転軸、６５…第２回転軸、６７，８５…駆動歯車、６８…従動歯車、６９…電磁クラッチ、８４…回転軸。
【図１】
2006106113.tif 000003
【図２】
2006106113.tif 000004
【図３】
2006106113.tif 000005
【図４】
2006106113.tif 000006
【図５】
2006106113.tif 000007